(57)【要約】【課題】あたかも畳が敷かれた感じを与えるために、必要に応じて床面の任意な位置へ置敷きして使用するタイプの薄畳を丈夫で取り扱い良くする。【解決手段】表面の畳表１と背面板２との間に弾性材３を有する略半畳サイズの置敷き薄畳であって、背面板２が長手方向で分割され、表面の畳表１が略半畳サイズの全面を覆い表面側長手方向に略直角の中折れヒンジ部４を設け、背面板に滑止め突起８を付してなる中折れ薄畳であり、折り返し部９からヒンジ片10を形成する畳表１の角部の裁断に工夫をして角縁片12を残し、これを畳の角部に巻き込むことで薄畳の角がほつれることがなく丈夫になる。【選択図】図１
0003138763.tif 000002
【実用新案登録請求の範囲】
【請求項１】
表面の畳表と背面板との間に弾性材を有する置敷き薄畳であって、該薄畳がその縁と並行に分割され、該分割位置の背面板側に中折れヒンジ部を設け、該中折れヒンジ部は分割された背面板に跨がって一体化された中折れヒンジ部である中折れ薄畳。
【請求項２】
分割された背面板に跨がって一体化された中折れヒンジ部は、表面の畳表が背面板側へ巻き込まれて形成した折り返し部を長手方向に対して複数に切断して突き合わせる相手側へ双方から互いに接着し、その上へ布テープを当てて接着一体化されたヒンジである請求項１記載の中折れ薄畳。
【請求項３】
表面の畳表と背面板との間に弾性材を有する置敷き薄畳であって、該薄畳がその長手直角方向で背面板が分割され、該分割位置の畳表側に中折れヒンジ部を設け、該中折れヒンジ部は、表面の畳表が畳全面を覆い表面側長手方向に略直角の緯条に沿った畳表側の中折れヒンジ部である中折れ薄畳。
【請求項４】
表面の畳表と背面板との間に弾性材を有する置敷き薄畳であって、該薄畳がその長手直角方向で背面板が分割され、該分割位置の背面板側に中折れヒンジ部を設けてなり、
分割位置の背面板側の中折れヒンジ部は、分割された背面板に跨がって一体化された補強布の中折れヒンジ部であり、
背面板が略半畳サイズの大きさで厚さ１０〜３０mmの背面板であり、背面板に滑止め突起を付してなる中折れ薄畳。
【請求項５】
表面の畳表と背面板との間に弾性材を有する置敷き薄畳であって、該薄畳がその長手直角方向で背面板が分割され、該分割位置の畳表側に中折れヒンジ部を設けてなり、
分割位置の畳表側の中折れヒンジ部は、表面の畳表が畳全面を覆い表面側長手方向に略直角の緯条に沿った中折れヒンジ部であり、
背面板が略半畳サイズの大きさで厚さ１０〜３０mmの背面板であり、背面板に滑止め突起を付してなる中折れ薄畳。
【請求項６】
表面の畳表と背面板との間に弾性材を有する置敷き薄畳であって、該薄畳がその縁と並行に分割され、該分割位置の背面板側に中折れヒンジ部があり、該中折れヒンジ部は分割された背面板に跨がって一体化された中折れヒンジ部であり、該中折れヒンジ部は表面の畳表が背面板側へ巻き込まれて形成した折り返し部を長手方向に対して複数に切断して突き合わせる相手側へ双方から互いに接着し、その上へ布テープを当てて接着一体化されたヒンジであり、前記背面板が略半畳サイズの大きさで厚さ１０〜３０mmで、該背面板に滑止め突起を付してなる中折れ薄畳。
【考案の詳細な説明】
【技術分野】
【０００１】
本考案は、あたかも畳が敷かれた感じを与えるために、必要に応じて床面の任意な位置へ置敷きして使用するタイプの薄畳の改良に関するものである。
【背景技術】
【０００２】
部屋の床面を木質、合成樹脂等の平滑床面、装飾床面等に洋風化した例が多い。このような洋風化住宅においても一部、畳敷きの空間を創ることによって、安らぎのある和風空間が得られる。このような目的で、近年、置敷きにして使用するタイプの薄畳(通常の畳の１／３〜１／５程度の厚み、約20mm前後)が、洋間等に敷かれるようになっている。このような薄畳の提案例としては、特許文献１や、特許文献２などにその記載がある。薄畳の使用態様が板敷や合成樹脂床敷の上へ手軽な置敷きにあることから、掃除や部屋のレイアウトを変更する時などに、別の部屋へ移動させておいたり、同じ部屋の隅に立て掛けておいたりすることが多い。また、物置へ収納しておく例もある。
【０００３】
これまでの薄畳のサイズは通常の畳(略1800×900mm)又は半畳(略900×900mm)であり、不使用で収納庫や押し入れへ収納する場合には大きすぎるし、また、主婦等による掃除の時などに取り扱いが不便なことが指摘されている。この点を解決したものが特許文献３に記載の中折れ畳であるが、ヒンジ部の強度が十分でなくまた、畳の角部ははがれるなどの欠点があった。
【０００４】
【特許文献１】特開平11-62191号
【特許文献２】特開平9-195486号
【特許文献３】特開平7-91021号
【考案の開示】
【考案が解決しようとする課題】
【０００５】
そこで、本考案ではこれらの欠点を解決し、収納の容易な中折れとし、かつ、薄畳に適用しても十分な強度のあるヒンジ構造と畳の角部の丈夫な中折れ薄畳にすることを課題とした。
【課題を解決するための手段】
【０００６】
上記課題を検討した結果、表面の畳表と背面板との間に弾性材を有する置敷き薄畳であって、該薄畳がその長手直角方向で背面板分割され、該分割位置の背面板側又は畳表側に中折れヒンジ部を設けてなる中折れ薄畳とした。
【０００７】
すなわち、表面の畳表と背面板との間に弾性材を有する置敷き薄畳であって、該薄畳がその縁と並行に分割され、該分割位置の背面板側に中折れヒンジ部を設け、該中折れヒンジ部は分割された背面板に跨がって一体化された中折れヒンジ部である中折れ薄畳である。
【０００８】
また、分割された背面板に跨がって一体化された中折れヒンジ部は、表面の畳表が背面板側へ巻き込まれて形成した折り返し部を長手方向に対して複数に切断して突き合わせる相手側へ双方から互いに接着し、その上へ布テープを当てて接着一体化されたヒンジの中折れ薄畳とした。
【０００９】
ここで、分割位置の畳表側の中折れヒンジ部は、表面の畳表が畳全面を覆い表面側長手方向に略直角の中折れヒンジ部である中折れ薄畳とした。表面の畳表と背面板と弾性材等とを一体化するには、バインダーの使用も可能であるし、縁部の縫着、更には縁布による通常の畳同様に仕上げることができる。分割の個所及び分割数は任意であって、薄畳の大きさによって決定される。３畳なら３分割、２畳なら２分割、１畳であれば半畳、更に、略半畳の例では２分割程度が好ましい。
【００１０】
また、表面の畳表と背面板との間に弾性材を有する略半畳サイズの置敷き薄畳であって、背面板が長手方向で分割され、表面の畳表が略半畳サイズの全面を覆い表面側長手方向に略直角の中折れヒンジ部を設け、背面板に滑止め突起を付してなる中折れ薄畳とした。薄畳の厚さは通常１０〜３０mm、好ましくは１２〜２０mmであり、背面板に滑止め突起を付してなるものが洋間への置き敷に好適である。
【００１１】
表面の畳表と背面板との間に弾性材を有する略半畳サイズの置敷き薄畳であって、背面板が長手方向で分割され、表面の畳表が略半畳サイズの全面を覆い表面側長手方向に略直角の中折れヒンジ部を設け、背面板に滑止め突起を付してなる中折れ薄畳とした。前記弾性材は合成樹脂発泡体又は不織布が好ましい。弾性材の存在は、厚みが薄くても、適度な弾性が付与されて好ましい感触のものとなる。すなわち、本考案は中折れを可能とするヒンジ部を設けたことを特徴とするので、畳表側を分割し、背面板側にヒンジ部を設けることも実質的に同じである。例えば、分割された背面板に跨がって一体化された補強布による中折れヒンジ部とする。
【００１２】
本考案でいう畳表とは、通常使用されている藺草織物が最も多く使用されるが、藺草様の和紙緯条や合成樹脂緯条、その他の藺草様の緯条を用いた畳表の使用も含まれる。また、背面板は薄畳全体を硬くし、経時変化によって隅部の反りが生じないようにするため、各種のボード類を用いることができる。例えば、木質ボード、木板、集積板、金属板等である。安価なものが望ましい。中間の弾性材には、ポリウレタンやポリエチレン等の合成樹脂発泡体、合成繊維や天然の綿、不織布の単シート又は積層シート、繊維屑等、適度な弾性を備えた素材から選択して使用できる。廃棄物処理や製造時の取り扱いの容易さから不織布、特にセルロース系の天然又は半合成繊維(レーヨン等)が好ましい。
【００１３】
また、表面側長手方向に略直角の中折れヒンジ部を設けるとは、表面の藺草織物の緯条とほぼ平行なヒンジを形成することであって、ヒンジ部が藺草織物を構成している緯条に沿った位置の多数の経糸や縁布の屈曲によるものでもよいし、強度的に問題がある場合には、ヒンジを補強するための補強シートや補強布を中折れヒンジ部に添わせるようにしてもよい。
【００１４】
背面板の滑止め突起は、滑り抵抗性を持つ天然ゴムや合成ゴムの点状突起、凸条等であって、背面板に直接付着形成してもよいし、不織布又は織布に貼着したものを背面板に被覆させてもよい。これらは滑止め突起が直接床面や他の床敷き資材に接触するように、背面板の全面に点在させるとか、縁部に縁取り、或いは中央に部分的に形成する。
【考案の効果】
【００１５】
本考案の中折れ薄畳は、以上のような構造であるから、床面に敷いた場合にあたかも畳が敷かれた感じを与え、必要に応じて床面の任意な位置へ置敷きすることができる。不使用時には収納庫や押し入れへコンパクトに折畳んで収納することができる。床面に敷いて使用している場合でも、主婦等による掃除の際に取り除く等の取り扱いが手軽にできるし、部屋の一部に立て掛けて置く場合でも、コンパクトに折畳むことができるので邪魔にならない。
【考案を実施するための最良の形態】
【００１６】
以下本考案の最良の実施形態を詳細に説明する。図１は本考案の中折れ薄畳の一部破断斜視図、図２は図１中Ｐ部拡大断面図、図３は表面の畳表が畳全面を覆い表面側長手方向に略直角の中折れヒンジ部である中折れ薄畳の中折れ部の拡大断面図、図４は図３の中折れ薄畳の折畳んだ様子を示す側面図である。また、図５は中折れヒンジ部の他の例を示す畳角部の畳表を展開した状態を示す部分背面斜視図であり、図６は図５の畳角部の仕上がりを示す部分背面斜視図である。これらの図に示すように、表面の畳表１と背面板２との間に弾性材３を有する方形で、厚みがこの例では17mmの置敷き薄畳としている。図１，２，５及び６の例は背面板２側に中折れヒンジ部４があり、図３，４は表面の畳表１が略全面を覆い表面側の長手方向に略直角の中折れヒンジ部４を設けている。
【００１７】
これらの例は半畳サイズ(900×900mm)のもので、半分に折畳んで900×450mmのコンパクトに出来る構造にしている。そのほか、900×1800mmのものを900×900mmに二つ折りとしたり、あるいは900×600mmの三つ折りにしたりして収納、持ち運びを容易にする。畳表１は天然藺草製織物で、図１に示すように縁布のあるものはもちろん、縁なしにも、本考案は利用できる。背面板２には木粉や木材細片をバインダーで固めて板状にしたパーティクルボードを用いた。天然に得られる杉板や合板の使用も可能であるが、反りを避けるために集積板の採用が好ましい。背面板２のボードはほぼ10mm厚でほぼ900×450mmサイズのものを２つに分割している。畳表１と背面板２との間の弾性材３には５mm厚のポリウレタン発泡体を使用したが、これも廃棄処分が容易な素材のレーヨン繊維を用いてもよい。レーヨン繊維の不織布は５mm厚程度のものでもよいし、薄手のものを複数枚積層して用いてもよい。弾性材３と背面板２との間はバインダー５により接着している。畳表１と弾性材３及び背面板２の厚みの例としては、この例では畳表１が２mm、弾性材３が５mm、背面板２が10mmで、合計17mmの厚さである。
【００１８】
中折れヒンジ部４の機能は畳表１と弾性材３及び両縁部の縁布６,６が果たすが、これらを更に補強するために背面板２の分割部分、すなわち、両方の背面板２,２の中程の当接部(中折れヒンジ部４)の背面に補強布７を接着一体化している。畳表１と弾性材３及び縁布６,６を縫着し、更に背面板２,２をバインダー５により接着し、補強布７を接着一体化して本考案の中折れ薄畳の主要部が出来上がり、背面に補強布７を接着一体化して出来上がっている。補強布７の大きさは両方の背面板２,２に跨って一体化出来ればよく、特に大きなものである必要がない。図面は省略するが、分割位置の背面板側の中折れヒンジ部は、これとは逆に分割された背面板に跨がって一体化された補強布によって形成すればよい。
【００１９】
背面板２の裏面に設けた滑止め突起８は、滑り抵抗性を持つゴムの点状突起であって、不織布に数10mm間隔で形成したものを背面板２の背面に被覆させて貼着している。滑止め突起８の存在によって滑り抵抗性が付与されるので、床面からの移動がなくなる。
【００２０】
図５は、中折れヒンジ部の他の例を示す畳角部の畳表を展開した状態を示す部分背面斜視図であり、図６は図５の畳角部の仕上がりを示す部分背面斜視図である。これらの図から明らかなように、個々の分割された背面板２，２に跨がって一体化された中折れヒンジ部４は、表面の畳表１が背面板２側へ巻き込まれて形成した折り返し部９を長手方向に対して複数に切断してヒンジ片10とし、突き合わせる相手側へ双方から互いに接着し、その上へ布テープ11を当てて接着一体化されたヒンジとするのである。この際、折り返し部９からヒンジ片10を形成する畳表１の角部の裁断に工夫をして角縁片12を残し、これを畳の角部に巻き込むことで薄畳の角がほつれることがなく丈夫になる。
【００２１】
本考案の中折れ薄畳は、以上のような構造であるから、床面に敷いた場合にあたかも畳が敷かれた感じを与え、必要に応じて床面の任意な位置へ置敷きすることができる。不使用時には収納庫や押し入れへコンパクトに折畳んで収納することができる。床面に敷いて使用している場合でも、主婦等による掃除の際に取り除く等の取り扱いが手軽にできるし、部屋の一部に立て掛けて置く場合でも、コンパクトに折畳むことができるので邪魔にならない。
【図面の簡単な説明】
【００２２】
【図１】本考案の中折れ薄畳の一部破断斜視図である。
【図２】図１中Ｐ部拡大断面図である。
【図３】図３は表面の畳表が畳全面を覆い表面側長手方向に略直角の中折れヒンジ部である中折れ薄畳の中折れ部の拡大断面図である。
【図４】図３の中折れ薄畳の折畳んだ様子を示す側面図である。
【図５】中折れヒンジ部の他の例を示す畳角部の畳表を展開した状態を示す部分背面斜視図である。
【図６】図５の畳角部の仕上がりを示す部分背面斜視図である。
【符号の説明】
【００２３】
１  畳表
２  背面板
３  弾性材
４  中折れヒンジ部
５  バインダー
６  縁布
７  補強布
８  滑止め突起
９  折り返し部
10  ヒンジ片
11  布テープ
12  角縁片
【図１】
0003138763.tif 000003
【図２】
0003138763.tif 000004
【図３】
0003138763.tif 000005
【図４】
0003138763.tif 000006
【図５】
0003138763.tif 000007
【図６】
0003138763.tif 000008